(57)【要約】【課題】  扉を手前に倒すように開いたときは履物が略水平状態で手前に充分出た状態になって履物の出し入れの取り扱いが容易にできる下駄箱を提供する。【解決手段】  下駄箱本体１内に履物収納空間２を設け、履物支持体３を履物支持体３が前後に回動して履物収納空間２に対して出入りするように下駄箱本体１に回動自在に装着すると共に扉４を履物支持体３に装着し、扉４を手前に倒すように回動して開いたとき履物５が略水平になるように履物支持体３が履物収納空間２の前面の開口６から手前に出ると共に扉４を閉じたとき履物５が傾斜して履物５と一緒に履物支持体３が履物収納空間２に収納されるようにした下駄箱にである。そして履物支持体３の回動中心を履物収納空間２の前面の開口６の下縁より下方で且つ履物収納空間２の前面側に近接した位置に設ける。【選択図】        図１
2005143574.tif 000002
【特許請求の範囲】
【請求項１】
下駄箱本体内に前面を開口せる履物収納空間を設け、履物支持体を履物支持体が前後に回動して履物収納空間に対して出入りするように下駄箱本体に回動自在に装着すると共に履物収納空間の前面の開口を閉塞し得る扉を履物支持体に装着し、扉を手前に倒すように回動して開いたとき履物が略水平になるように履物支持体が履物収納空間の前面の開口から手前に出ると共に扉を閉じたとき履物が傾斜して履物と一緒に履物支持体が履物収納空間に収納されるようにした下駄箱であって、履物支持体の回動中心を履物収納空間の前面の開口の下縁より下方で且つ履物収納空間の前面側に近接した位置に設けて成ることを特徴とする下駄箱。
【請求項２】
扉を開いて履物支持体を手前に出したとき扉を全開するまで履物収納空間の前面の開口の下縁に当たらないように逃げ部を有する形状に履物支持体を形成したことを特徴とする請求項１記載の下駄箱。
【請求項３】
扉を開くために扉の上端に指を掛けたとき指先を入れることができる凹所を履物収納空間の前面の開口の上方に設けたことを特徴とする請求項１または請求項２記載の下駄箱。
【発明の詳細な説明】
【技術分野】
【０００１】
本発明は、靴のような履物を収納する下駄箱に関し、詳しくは扉を手前に倒すように開いたときに履物が手前に突出して取り出しが容易にできるようにした下駄箱に関するものである。
【背景技術】
【０００２】
近年、下駄箱本体内に前面を開口せる履物収納空間を設け、履物を支持する履物支持体を履物支持体が前後に回動して出入りするように下駄箱本体に回動自在に装着すると共に履物収納空間の前面の開口を閉塞し得る扉を履物支持体に装着し、扉を手前に倒すように回動して開いたとき履物支持体が履物収納空間の前面の開口から手前に出ると共に扉を閉じたとき履物と一緒に履物支持体が履物収納空間に収納されるようにした下駄箱が提供されている（例えば、特許文献１参照）。かかる下駄箱は扉を閉じたとき履物支持体に支持した履物が傾斜した状態で収納されて奥行きがない下駄箱でも履物を収納することができ、また扉を開くことにより履物支持体が手前に出て履物の出し入れができるようになっている。
【特許文献１】特開平７−３１５１７号公報
【発明の開示】
【発明が解決しようとする課題】
【０００３】
上記の従来例のものでは扉を手前に倒すように開いたとき履物支持体が手前に出るが、履物支持体を回動自在に支持する回動中心は履物収納部の奥部で且つ履物収納部の前面の開口の下縁より上方の位置であり、扉を手前に倒して開いたときに履物支持体が手前に出る量が少なく、履物の出し入れの取り扱いが便利というものでもなかった。
【０００４】
本発明は上記の従来の問題点に鑑みて発明したものであって、扉を手前に倒すように開いたときは履物が略水平状態で手前に充分出た状態になって履物の出し入れの取り扱いが容易にできる下駄箱を提供することを課題とするものである。
【課題を解決するための手段】
【０００５】
上記課題を解決するために本発明に係る下駄箱は、下駄箱本体１内に前面を開口せる履物収納空間２を設け、履物支持体３を履物支持体３が前後に回動して履物収納空間２に対して出入りするように下駄箱本体１に回動自在に装着すると共に履物収納空間２の前面の開口６を閉塞し得る扉４を履物支持体３に装着し、扉４を手前に倒すように回動して開いたとき履物５が略水平になるように履物支持体３が履物収納空間２の前面の開口６から手前に出ると共に扉４を閉じたとき履物５が傾斜して履物５と一緒に履物支持体３が履物収納空間２に収納されるようにした下駄箱であって、履物支持体３の回動中心を履物収納空間２の前面の開口６の下縁より下方で且つ履物収納空間２の前面側に近接した位置に設けて成ることを特徴とする。
【０００６】
上記のように構成したことにより、扉４を手前に倒すように開くとき、履物支持体３が履物収納空間２の前面の開口６の下縁より下方で且つ履物収納空間２の前面側に近接した位置の回動中心を中心に回動して履物支持体３が手前に大きく出ると共に履物５が略水平になるように出るものであって、扉４を開いた状態で行う履物５の出し入れが便利にできる。
【０００７】
また扉４を開いて履物支持体３を手前に出したとき扉４を全開するまで履物収納空間２の前面の開口６の下縁に当たらないように逃げ部Ｓを有する形状に履物支持体３を形成したことを特徴とすることも好ましい。履物収納空間２の前面の開口６の下縁の下方の回動中心を中心に回動して扉４を開いたときに履物支持体３が大きく出るものでも扉４と一緒に履物支持体３を弊害なく回動することができる。
【０００８】
また扉４を開くために扉４の上端に指を掛けたとき指先を入れることができる凹所７を履物収納空間２の前面の開口６の上方に設けたことを特徴とすることも好ましい。扉４の上端に指を掛けて扉４を開くとき凹所７に指先を入れることにより扉４の上端に指が掛けやすくて扉４を容易に開くことができる。
【発明の効果】
【０００９】
本発明は、叙述のように扉を手前に倒すように開くとき、履物支持体が履物収納空間の前面の開口の下縁より下方で且つ履物収納空間の前面側に近接した位置の回動中心を中心に回動して履物支持体が手前に大きく出ると共に履物が略水平になるように出るものであって、扉を開いた状態で行う履物の出し入れが便利にできるという効果を奏し得るものである。
【発明を実施するための最良の形態】
【００１０】
以下、本発明を添付図面に示す実施形態に基いて説明する。本発明の下駄箱の下駄箱本体１は図１、図２に示すように上の天板８と下の地板９と両側の側板１０と背面の背板１１とで前面側を開口せる角箱状に形成されており、上下に複数段の履物収納空間２を設けてある。最上部の履物収納空間２の前面の開口６の上方には上前棧２２を左右方向に亙って架設してあり、上下に隣り合う履物収納空間２の前面の開口６間には中前棧１２を左右方向に亙って架設してあり、最下部の履物収納空間６の前面の開口６の下方には下前板１３を左右方向に亙って架設してある。
【００１１】
この各履物収納空間２には夫々履物支持体３を装着してあり、靴のような履物５を履物支持体３に載せて支持して収納できるようになっている。履物支持体３は両側に配置した回動アーム１４と、両側の回動アーム間１４間に架設した複数の支持バー１５とで構成されている。本例の場合、回動アーム１４は金属板にて形成され、支持バー１５は金属棒にて形成されている。この回動アーム１４は図５に示すように長片部１４ａと短片部１４ｂとで略Ｌ字状になるように形成されており、回動アーム１４の長片部１４ａの先端には扉取り付け片１６を設けてあり、短片部１４ｂの先端には回動中心となる軸孔１７を穿孔してある。長辺部１４ａには複数の結合孔１８を設けてあり、支持バー１５を結合孔１８に結合することができるようになっている。扉取り付け片１６には複数の取り付け孔１９を穿孔してある。上記回動アーム１４は少なくとも左右の両側にあるが、左右の両側間の途中に中間アーム１４′を介在してもあってもよい。中間アーム１４′は上記回動アーム１４の短片部１４ｂのない形状に形成されている。
【００１２】
各履物収納空間２に上記履物支持体３が両側の回動アーム１４が側板１０に沿うように配置され、軸孔１７が支持軸２０の回りに回転するように回動アーム１４が回動自在に装着される。本例の場合、支持軸２０はボルト２０ａでワッシャー２０ｂを介して装着してある。この回動アーム１４の回動中心となる軸孔１７を回動自在に装着する位置は各履物収納空間２の前面の開口６の下縁より下方の位置あり、しかも前面側にできるだけ近接した位置である。つまり、中前棧１２や下前板１３の背面の近傍で中前棧１２や下前板１３の上端より下方の位置である。
【００１３】
扉４は履物収納空間２の前面の開口６を覆う大きさに形成されており、扉４の背面に回動アーム１４の扉取り付け片１６を当接し、取り付け孔１９からねじ具等の固着具を打入して扉取り付け片１７に扉４を取り付けてある。上前棧２２及び中前棧１２の前面側には左右方向に亙るように凹所７を設けてあり、扉４の上端に指を掛けるとき凹所７に指を入れることができるようになっている。
【００１４】
靴等の履物５が履物支持体３の支持バー１５の上に載置され、前面の開口６を閉塞するように扉４が回動されて履物支持体３が履物収納空間２内に収納される。この状態では履物５が斜めに傾斜した状態で収納されて下駄箱本体１の奥行きが浅くても収納できる。扉４を開くときは扉４の上端に指を掛け、扉４を前に倒すように扉４を回動して前面の開口６を開放する。扉４の上端に指を掛けて開放するとき、指を凹所７に入れることができて指を扉４の上端に引っ掛けやすく、扉４を容易に開放することができる。
【００１５】
扉４を手前に倒すように開いたとき扉４と一緒に履物支持体３が手前側に突出するように回動し、手前に突出した履物支持体３に履物５が略水平に載った状態となって履物５の出し入れが容易にできる。履物支持体３を手前に回動させるとき、開口６の下縁より下方で且つ前面に近接した回動中心を中心に回動するために履物支持体３の手前側への突出量が大きくなる。また履物支持体３が開口６の下縁より下方で前面に近接した回動中心を中心に回動するものでも回動アーム１４が略Ｌ字状になって開口６の下縁が当たらないように逃げ部Ｓを設けてあるため、開口６の下縁に当たらないように回動させて履物支持体３を手前に大きく突出させることができる。扉４を全開した時は回動アーム１４が開口６の下縁（中前棧１２や下前板１３）に当たって止まり、それ以上回動しないようになっている。扉４を全開したとき回動アーム１４がストッパーピン２１に当たって止めるようにしてもよい。
【００１６】
また図６は他の例を示すが、本例の場合も上記例と基本的に同じであり、回動アーム１４の形状や下駄箱本体１の奥行きが異なるだけである。
【００１７】
なお、上記実施の形態の例では履物支持体３の回動アーム１４や支持バー１５を金属にて形成した例で述べたが、この回動アーム１４と支持バー１５を合成樹脂で一体に成形して履物支持体３を形成してもよい。
【図面の簡単な説明】
【００１８】
【図１】本発明の下駄箱の側面から見た断面図である。
【図２】同上の下駄箱の外観を示し、（ａ）は平面図、（ｂ）は一部切欠正面図、（ｃ）は側面図である。
【図３】同上の扉を開いた状態の要部の斜視図である。
【図４】同上の履物支持体の取り付け状態を示す一部切欠背面図である。
【図５】同上の回動アームを示し、（ａ）は平面図、（ｂ）は正面図、（ｃ）は側面図である。
【図６】同上の下駄箱の他の例の側面から見た断面図である。
【符号の説明】
【００１９】
１  下駄箱本体
２  履物収納空間
３  履物支持体
４  扉
５  履物
６  開口
７  凹所
Ｓ  逃げ部
【図１】
2005143574.tif 000003
【図２】
2005143574.tif 000004
【図３】
2005143574.tif 000005
【図４】
2005143574.tif 000006
【図５】
2005143574.tif 000007
【図６】
2005143574.tif 000008